(57)【要約】【課題】  第三者によるＡＴＭによる不正な預金の引き出しを防止し、第三者が他人のカードで不正な預金の引き出しを行う場合でも、引出し金額を限定できるようにして、カードの不正使用防止を図れるようにしたカードおよびカード処理システムを提供する。【解決手段】  ＡＴＭにより引き出し処理を行える金額を特定した引出金額特定情報が記憶された記憶手段と、前記ＡＴＭから受信した引出申請金額情報と、前記記憶手段に記憶されている引出金額特定情報とを照合処理する照合手段と、前記照合手段での照合結果情報を前記ＡＴＭに送信する手段とを有するカードと、利用者が現金の引き出しを希望する引出申請金額情報を入力する入力手段と、前記入力手段から入力された引出申請金額情報を前記ＩＣカードに送信する手段と、前記ＩＣカードから前記照合結果情報を受信した際に、該照合結果に基づいた処理を行う出金処理制限手段とを有するＡＴＭとからなる。【選択図】        図1
2008033463.tif 000002
【特許請求の範囲】
【請求項１】
ＡＴＭ（現金自動支払機）を利用して、金融取り引き処理を行う際に使用するカードであって、
前記カードの記憶手段または記録手段に、現金の引き出しを行える引き出し金額を特定した照合用の引出金額特定情報が記憶または記録されていることを特徴とするカード。
【請求項２】
ＡＴＭ（現金自動支払機）と、前記ＡＴＭと通信可能に接続されたサーバと、前記ＡＴＭにより金融取り引き処理を行う際に使用するカードとからなり、前記サーバにおいて暗証番号に基づく認証処理を行うカード処理システムであって、
前記ＩＣカードは、前記ＡＴＭにより引き出し処理を行える金額を特定した引出金額特定情報が記憶された記憶手段と、前記ＡＴＭから受信した引出申請金額情報と、前記記憶手段に記憶されている引出金額特定情報とを照合処理する照合手段と、前記照合手段での照合結果情報を前記ＡＴＭに送信する手段とを有し、
前記ＡＴＭは、利用者が現金の引き出しを希望する引出申請金額情報を入力する入力手段と、前記入力手段から入力された引出申請金額情報を前記ＩＣカードに送信する手段と、前記ＩＣカードから前記照合結果情報を受信した際に、該照合結果に基づいた処理を行う出金処理制限手段とを有することを特徴とするカード処理システム。
【請求項３】
ＡＴＭ（現金自動支払機）と、前記ＡＴＭと通信可能に接続されたサーバと、前記ＡＴＭにより金融取り引き処理を行う際に使用するカードとからなり、前記サーバにおいて暗証番号に基づく認証処理を行うカード処理システムであって、
前記カードは、前記ＡＴＭにより引き出し処理を行える金額を特定した引出金額特定情報が記録または記憶された記録手段または記憶手段を有し、
前記ＡＴＭは、利用者が現金の引き出しを希望する引出申請金額情報を入力する入力手段と、前記カードに記録または記憶された引出金額特定情報を読み取る手段と、前記入力手段から入力された引出申請金額情報と、前記カードから読み取られた引出金額特定情報とを照合処理する照合手段と、前記照合手段での照合結果に基づく処理を行う出金処理制限手段とを有することを特徴とするカード処理システム。
【請求項４】
ＡＴＭ（現金自動支払機）と、前記ＡＴＭと通信可能に接続されたサーバと、前記ＡＴＭにより金融取り引き処理を行う際に使用するカードとからなり、前記サーバにおいて暗証番号に基づく認証処理を行うカード処理システムであって、
前記カードは、カード固有情報が記録または記憶された記録手段または記憶手段を有し、
前記ＡＴＭは、利用者が現金の引き出しを希望する引出申請金額情報を入力する入力手段と、前記カードからカード固有情報を読み取る手段と、前記入力手段から入力された引出申請金額情報と、前記カードから読み取ったカード固有情報とを前記サーバに送信する手段と、前記サーバから受信した照合結果情報の照合結果に基づいた処理を行う出金処理制限手段とを有し、
前記サーバは、予めカード固有情報と関係付けて、ＡＴＭにより引き出し処理を行える金額を特定した引出金額特定情報が記憶されたデータベースと、前記ＡＴＭから引出申請金額情報とカード固有情報とを受信した際に、前記データベースに該カード固有情報と関係付けられて登録されている引出金額特定情報と前記引出申請金額情報とを照合する手段と、前記照合手段での照合結果情報を前記ＡＴＭに対して送信する手段とを有することを特徴とするカード処理システム。
【請求項５】
前記ＡＴＭの出金処理制限手段が、前記照合結果が照合不一致となった場合に、前記ＡＴＭでの出金処理を中止させる機能を有していることを特徴とする請求項２〜４のいずれか１項に記載のカード処理システム。
【発明の詳細な説明】
【技術分野】
【０００１】
本発明は、ＡＴＭで金融取り引き処理を行う際に使用するキャッシュカードなどのカードと、そのカードを用いてＡＴＭで預金の引き出しが行われる際に、他人のカードが不正に使用されて第三者により不正な預金引き出しが行われることを防止するカード処理システムに関する。
【背景技術】
【０００２】
従来、他人から盗んだキャッシュカードが使用され、ＡＴＭにより他人の口座から不正な預金引き出しが行われたり、他人のキャッシュカードを偽造した偽造カードが作製されて、ＡＴＭにより他人の口座から不正に預金が引き出されたりするなどの犯罪が多発して問題となっている。
通常、他人のキャッシュカードが第三者に使用された場合であっても、ＡＴＭに入力した暗証番号の照合が一致すれば、ネットワークで接続されたＡＴＭを使用しても全国どこからでも現金の引き出し処理を行うことができる。
したがって、他人に暗証番号が知られないように注意したり、誕生日などのような他人が簡単に予想できる暗証番号の使用を避けるようにするなどの対策を行うようにしている。
【０００３】
しかしながら、預金者がＡＴＭを操作して暗証番号を入力する際に、他人に盗み見られないように注意して入力したつもりでも、ビデオカメラで入力時の操作手順を盗撮するなどの巧妙な手段により、暗証番号が第三者に知られてしまう危険性もある。
このようなことから、利用者が記憶している暗証番号だけを利用して本人照合を行う方法では、セキュリティ上の対策が十分ではないという問題がある。
【０００４】
このようなことから、暗証番号の照合と併用して、または暗証番号の照合に代えて静脈照合などの生体認証処理を行えるようにしたＡＴＭや静脈照合システムなどの生体認証システムを導入するなどの対策が公知となり、既に実施されている。（例えば、特許文献１参照）
しかしながら、例えば、静脈照合機能をＡＴＭに付加するためには、コストがかかるなどの問題もあり、簡単には現在設置されている全てのＡＴＭに静脈照合機能を備えられないという問題がある。
【特許文献１】特開２００１−６７５２３号公報
【発明の開示】
【発明が解決しようとする課題】
【０００５】
そこで、本発明は、暗証番号が第三者に知られ、キャッシュカードなどに用いられるカードが盗まれたり、また他人のカードの偽造カードが作製されたりした場合でも、それらのカードを使用してＡＴＭから簡単に預金の引き出しをすることができないようにすると共に、第三者が他人のカードを使用してＡＴＭで不正な預金の引き出しを行う場合でも、引出し金額を限定できるようにして、カードの不正使用防止を図れるようにしたカードおよびカード処理システムを提供する。
【課題を解決するための手段】
【０００６】
本発明のカードは、ＡＴＭ（現金自動支払機）を利用して、金融取り引き処理を行う際に使用するカードであって、前記カードの記憶手段または記録手段に、現金の引き出しを行える引き出し金額を特定した照合用の引出金額特定情報が記憶または記録されていることを特徴とする。
【０００７】
本発明のカード処理システムは、ＡＴＭ（現金自動支払機）と、前記ＡＴＭと通信可能に接続されたサーバと、前記ＡＴＭにより金融取り引き処理を行う際に使用するカードとからなり、前記サーバにおいて暗証番号に基づく認証処理を行うカード処理システムであって、前記ＩＣカードは、前記ＡＴＭにより引き出し処理を行える金額を特定した引出金額特定情報が記憶された記憶手段と、前記ＡＴＭから受信した引出申請金額情報と、前記記憶手段に記憶されている引出金額特定情報とを照合処理する照合手段と、前記照合手段での照合結果情報を前記ＡＴＭに送信する手段とを有し、前記ＡＴＭは、利用者が現金の引き出しを希望する引出申請金額情報を入力する入力手段と、前記入力手段から入力された引出申請金額情報を前記ＩＣカードに送信する手段と、前記ＩＣカードから前記照合結果情報を受信した際に、該照合結果に基づいた処理を行う出金処理制限手段とを有することを特徴とする。
【０００８】
また、本発明のカード処理システムは、ＡＴＭ（現金自動支払機）と、前記ＡＴＭと通信可能に接続されたサーバと、前記ＡＴＭにより金融取り引き処理を行う際に使用するカードとからなり、前記サーバにおいて暗証番号に基づく認証処理を行うカード処理システムであって、前記カードは、前記ＡＴＭにより引き出し処理を行える金額を特定した引出金額特定情報が記録または記憶された記録手段または記憶手段を有し、前記ＡＴＭは、利用者が現金の引き出しを希望する引出申請金額情報を入力する入力手段と、前記カードに記録または記憶された引出金額特定情報を読み取る手段と、前記入力手段から入力された引出申請金額情報と、前記カードから読み取られた引出金額特定情報とを照合処理する照合手段と、前記照合手段での照合結果に基づく処理を行う出金処理制限手段とを有することを特徴とする。
【０００９】
更に、本発明のカード処理システムは、ＡＴＭ（現金自動支払機）と、前記ＡＴＭと通信可能に接続されたサーバと、前記ＡＴＭにより金融取り引き処理を行う際に使用するカードとからなり、前記サーバにおいて暗証番号に基づく認証処理を行うカード処理システムであって、前記カードは、カード固有情報が記録または記憶された記録手段または記憶手段を有し、前記ＡＴＭは、利用者が現金の引き出しを希望する引出申請金額情報を入力する入力手段と、前記カードからカード固有情報を読み取る手段と、前記入力手段から入力された引出申請金額情報と、前記カードから読み取ったカード固有情報とを前記サーバに送信する手段と、前記サーバから受信した照合結果情報の照合結果に基づいた処理を行う出金処理制限手段とを有し、前記サーバは、予めカード固有情報と関係付けて、ＡＴＭにより引き出し処理を行える金額を特定した引出金額特定情報が記憶されたデータベースと、前記ＡＴＭから引出申請金額情報とカード固有情報とを受信した際に、前記データベースに該カード固有情報と関係付けられて登録されている引出金額特定情報と前記引出申請金額情報とを照合する手段と、前記照合手段での照合結果情報を前記ＡＴＭに対して送信する手段とを有することを特徴とする。
【００１０】
また、本発明のカード処理システムは、前記ＡＴＭの出金処理制限手段が、前記照合結果が照合不一致となった場合に、前記ＡＴＭでの出金処理を中止させる機能を有していることを特徴とする。
【発明の効果】
【００１１】
本発明のカードは、カードの記憶手段または記録手段に、ＡＴＭを利用して現金の引き出しを行う際に照合するための照合用の引出金額特定情報が記憶または記録されているので、ＡＴＭの利用者が入力した預金引き出し金額を示す引出申請金額情報が、引出金額特定情報と照合一致しないと預金の引き出しが行われないので、たとえ暗証番号が第三者に知られ、キャッシュカードなどに用いられるカードが盗まれたり、また他人のカードの偽造カードが作製されたりした場合でも、それらのカードを使用してＡＴＭから簡単に預金の引き出しをすることができないだけでなく、引出し金額も限定でき、これによりカードの不正使用防止を図れるという効果がある。
【００１２】
本発明のカード処理システムは、ＩＣカードを用いてＡＴＭで預金の引き出しを行う場合に、ＡＴＭに入力した引出申請金額情報を、ＩＣカード内で予め登録されている引出金額特定情報と照合処理し、前記ＡＴＭがＩＣカードから受信した照合結果情報に基づいた処理を行うので、たとえ暗証番号が第三者に知られ、キャッシュカードなどに用いられるカードが盗まれたり、また他人のカードの偽造カードが作製されたりした場合でも、それらのカードを使用してＡＴＭから簡単に預金の引き出しをすることができないだけでなく、引出し金額も限定でき、これによりカードの不正使用防止を図れるという効果がある。
【００１３】
また、本発明のカード処理システムは、カードを用いてＡＴＭで預金の引き出しを行う場合に、ＡＴＭに入力した引出申請金額情報と、カードからＡＴＭが読み取った引出金額特定情報とを照合処理し、ＡＴＭが、その照合結果に基づいた処理を行うので、たとえ暗証番号が第三者に知られ、キャッシュカードなどに用いられるカードが盗まれたり、また他人のカードの偽造カードが作製されたりした場合でも、それらのカードを使用してＡＴＭから簡単に預金の引き出しをすることができないだけでなく、引出し金額も限定でき、これによりカードの不正使用防止を図れるという効果がある。
【００１４】
更に、本発明のカード処理システムは、カードを用いてＡＴＭで預金の引き出しを行う場合に、利用者がＡＴＭに入力した引出申請金額情報をサーバのデータベースに予め登録されている引出金額特定情報と照合して、ＡＴＭが、その照合結果に基づいた処理を行うので、たとえ暗証番号が第三者に知られ、キャッシュカードなどに用いられるカードが盗まれたり、また他人のカードの偽造カードが作製されたりした場合でも、それらのカードを使用してＡＴＭから簡単に預金の引き出しをすることができないだけでなく、引出し金額も限定でき、これによりカードの不正使用防止を図れるという効果がある。
【００１５】
また、本発明のカード処理システムは、ＡＴＭの出金処理制限手段が、照合結果で照合不一致となった場合に、ＡＴＭでの出金処理を中止させる機能を有しているので、たとえ暗証番号が第三者に知られ、キャッシュカードなどに用いられるカードが盗まれたり、また他人のカードの偽造カードが作製されたりした場合でも、それらのカードを使用してＡＴＭから簡単に預金の引き出しをすることができないだけでなく、引出し金額も限定でき、これによりカードの不正使用防止を図れるという効果がある。
【発明を実施するための最良の形態】
【００１６】
以下、本発明の実施形態に係るカードおよびカード処理システムについて、図面に基づいて詳細に説明する。
図１は、本発明の実施形態に係るカード処理システムの概要を説明する図、図２は、本発明の実施形態に係るＩＣカードの平面図、図３は、本発明の実施形態に係るＩＣカードのシステムブロック図、図４は、本発明の実施形態に係るカード処理システムのシステムブロック図、図５は、本発明の実施形態に係るカード処理システムにおいて、ＩＣカード内で照合処理を行う場合の処理手順を説明するフローチャート図、図６は、本発明の実施形態に係るカード処理システムにおいて、ＡＴＭ内で照合処理を行う場合の処理手順を説明するフローチャート図、図７は、本発明の実施形態に係るカード処理システムにおいて、サーバ内で照合処理を行う場合の処理手順を説明するフローチャート図である。
【００１７】
本発明の実施形態に係るカード処理システムは、図１に示すように、キャッシュカードなどのＩＣカード１と、金融取り引き処理を行うＡＴＭ２と、そのＡＴＭ２とネットワーク４を介して通信可能に接続されたサーバ３とからなり、利用者５は、ＡＴＭ２で預金の引き出しを行う際にＩＣカード１を用いて処理を行う。
この実施形態の説明では、ＩＣカードを用いた場合について説明するが、ＩＣカード１のような記憶手段を有するカードの代わりに、磁気カードなどの記録手段を有するカードを用いることができる。
但し、磁気カードなどの記録手段を有するカードを用いた場合には、カード内で照合処理ができないので、照合処理をＡＴＭ２またはサーバ３内において行うシステムが採用される。
【００１８】
ＩＣカード１は、図２に示すように、ＩＣチップが内蔵されたＩＣモジュール６がカード基材に埋設されている。
そして、図３に示すように、ＩＣモジュール６に内臓されたＩＣチップには、ＣＰＵ７、書き換え可能な不揮発性メモリ（ＥＥＰＲＯＭ）８、揮発性メモリ（ＲＡＭ）９、読み出し専用メモリ（ＲＯＭ）１０が備えられている。
また、更にＩＣモジュール６には、電源電圧を供給するＶＣＣ端子１１、接地用のＧＮＤ端子１２、リセット信号を供給するＲＳＴ端子１３、クロック信号を供給するＣＬＫ端子１４、データ入出力用のＩ／Ｏ端子１５が備えられている。
【００１９】
そして、ＩＣモジュール６のＩＣチップにおいて、ＥＥＰＲＯＭ８には、カード固有情報１６と引出金額特定情報１７とが記憶されている。
カード固有情報１６は、カードの認証を行う際に用いられる照合用の情報である。
また、引出金額特定情報１７は、そのＩＣカード１の所有者がＡＴＭで自分の預金の引出し処理を行う際に、予め引き出す金額を設定して登録させておく情報で、例えば、引出金額特定情報１７として５千円を設定した場合には、ＡＴＭの１回の引出処理で５千円だけが引き出せ、他の金額を引き出そうとしても引き出せないようにしてある。
【００２０】
つまり、ＩＣカード１に引出金額特定情報１７として、その引出金額をいくらの金額にしたのかについては、そのＩＣカード１の所有者以外にはわからないように設定されている。
ＡＴＭ２は、利用者が預金の引き出しを行う際に、ＡＴＭ２の入力手段で入力された引出申請金額情報と、ＩＣカード１の引出金額特定情報１７とを照合して、それらの金額が一致しない場合には、預金の引き出しを中止され、預金の引き出しができないようにしてある。
【００２１】
また、ＲＯＭ１０には、照合手段１８、指示信号送信手段１９が設けられている。
照合手段１８は、引出申請金額情報と、ＩＣカード１に記憶されている引出金額特定情報１７とを、ＩＣカード１内で照合処理する機能を有する。
指示信号送信手段１９は、照合手段１８で照合不一致となった場合に、ＡＴＭ２に対して現金の引き出しを中止させるための指示信号を送信させ、また、照合手段１８で照合一致となった場合に、ＡＴＭ２に対して現金の引き出しをＯＫとする指示信号を送信させる。
【００２２】
次に、ＡＴＭ２には、表示手段２０、ジャーナル印字手段２１、現金処理手段２２、読取書込手段２３、記憶手段２４、入力手段２５、通信手段２６、照合手段２７、出金処理制限手段２８、制御手段２９などが備えられている。
表示手段２０は、操作手順やお知らせ情報などが表示される。
ジャーナル印字手段２１は、「キャッシュサービスご利用明細」であるジャーナルに、取引日時、取引種別、取引金額、残高などを印字する機能を有し、利用者に対して金融取引きに関する詳細情報を提供する。
【００２３】
読取書込手段２３は、ＩＣカード１に記憶されているカード固有情報１６や引出金額特定情報１７の読み取りや、ＩＣカード１からＡＴＭ２に送信された現金の引き出しを中止させるための指示信号を受信する。
また、入力手段２５により、利用者が、暗証番号や、現金の引き出しを希望する金額である引出申請金額情報などの入力を行うことができる。
照合手段２７は、引出申請金額情報と、ＩＣカード１に記憶されている引出金額特定情報１７との照合処理を、ＡＴＭ２内において行う機能を有する。
【００２４】
例えば、ＩＣカード１の代わりに磁気カードを利用した場合には、磁気カード内で照合処理を行う機能が保有できないので、ＡＴＭ２内に照合手段２７を設けておくことで、入力手段２５から入力された引出申請金額情報と、ＡＴＭ２でＩＣカード１から読み取った引出金額特定情報１７とを、照合手段２７により照合処理して、照合不一致の場合には、引き出し処理を中止することができるようにしてある。
尚、ＡＴＭ２で使用されるカードが、ＩＣカード１であるか、または磁気カードであるかのいずれかに限定されている場合には、そのカードの機能に応じて、照合手段をＩＣカード１内またはＡＴＭ２内のいずれか一方に設けるようにしてもよい。
また、出金処理制限手段２８は、照合手段１０、または照合手段２７での照合処理で不一致となった場合に、ＡＴＭ２による現金の出金処理を中止させる機能を有する。
【００２５】
次に、サーバ３には、暗証番号照合手段３０、記憶手段３１、通信手段３２、金融取引処理手段３３、照合手段３４、指示信号送信手段３５、預金者情報データベース３６、制御手段３７などが備えられている。
預金者情報データベース３６には、ＡＴＭ２の利用者である預金者のカード固有情報、個人情報、暗証番号情報、預金情報、引出金額特定情報などが関係付けられて登録されている。
引出金額特定情報を預金者情報データベース３６に登録させておくことによって、サーバ３内においても、引出申請金額情報と、引出金額特定情報１７との照合処理をサーバ３内においても行うことができるようにしてある。
【００２６】
暗証番号照合手段３０は、ＡＴＭ２から受信した口座情報である口座番号に基づいて、預金者情報データベース３６に登録されている暗証番号と、利用者がＡＴＭ２に入力した暗証番号とを照合する機能を有している。
また、照合手段３４は、ＡＴＭ２から引出申請金額情報とカード固有情報とを受信した際に、預金者情報データベースに該カード固有情報と関係付けられて登録されている引出金額特定情報と前記引出申請金額情報とを照合する機能を有する。
また、指示信号送信手段３５と、照合手段３４での照合処理が不一致となった場合に、ＡＴＭ２に対して現金の引き出しを中止させる指示信号を送信させ、また、照合手段１８で照合一致となった場合に、ＡＴＭ２に対して現金の引き出しをＯＫとする指示信号を送信させる機能を有する。
【００２７】
次に、図５及び図７に示すフローチャート図に基づいて、本発明の実施形態に係るカード処理システムの処理手順を説明する。
本発明の実施形態に係るカード処理システムの処理手順としては、照合処理を行う機能をどこに設けるかによって、下記の３種類の処理手順がある。
この３種類の処理手順としては、図５に示すように、引出申請金額情報の照合処理をＩＣカード１において行う場合と、図６に示すように、引出申請金額情報の照合処理をＡＴＭ２において行う場合と、図７に示すように、引出申請金額情報の照合処理をサーバ３において行う場合とがある。
【００２８】
まず、図５に基づいて、引出申請金額情報の照合処理をＩＣカード１において行う場合の処理手順を説明する。
利用者は、まずＡＴＭ２の表示手段に表示されている取引選択画面の中から、指でタッチするなどして現金の引き出しを行う場合の取引選択を行う。（ステップＳ１）
続いて、利用者５が所持しているＩＣカード１をＡＴＭ２内にセットする。（ステップＳ２）
ＡＴＭ２は、ＩＣカード１に記憶されているカード固有情報の読み出しを行う。（ステップＳ３）
次に、ＡＴＭ２により、そのカード固有情報の認証処理が行われる。（ステップＳ４）
【００２９】
そして、認証処理で認証が受けられた場合には、利用者は、ＡＴＭ２の入力手段から、暗証番号の入力を行う。（ステップＳ５）
更に、ＡＴＭ２の入力手段から、現金の引き出しを希望する金額を示す引出申請金額情報の入力を行う。（ステップＳ６）
そして、ＡＴＭ２は、入力された引出申請金額情報をＩＣカード１に送って、ＩＣカード１内において、この引出申請金額情報と、ＩＣカード１の記憶手段に登録されている引出金額特定情報とを比較照合処理を行ない、その結果情報をＩＣカード１からＡＴＭ２に送る。（ステップＳ７）
【００３０】
次に、ＡＴＭ２からサーバ３に暗証番号情報が送信されて、サーバ３の預金者情報データベース３６に登録されている暗証番号情報と照合処理が行われ、その結果情報がサーバ３からＡＴＭ２に送信される。（ステップＳ８）
そして、ＡＴＭ２に対して、少なくともＩＣカード１から照合処理で不一致となったことを示す結果情報が届いた場合には、ＡＴＭ２での出金処理を中止させる処理が行われ、また、ＩＣカード１及びサーバ３からそれぞれ照合一致したことを示す結果情報が届いた場合には、その後の出金処理を継続できるように制御される。（ステップＳ９）
【００３１】
以上の処理により、たとえ暗証番号が一致したとしても、予めＩＣカード１の記憶手段に登録されている引出金額特定情報と、利用者がＡＴＭ２から入力した引出申請金額情報とが異なる場合には、ＩＣカード１が正当な本人以外の第三者によって不正に使用されているものとして、出金が行えないようにして不正出金を防止できるようにしてある。
【００３２】
次に、図６に基づいて、引出申請金額情報の照合処理をＡＴＭ２において行う場合の処理手順を説明する。
利用者は、まずＡＴＭ２の表示手段に表示されている取引選択画面の中から、指でタッチするなどして現金の引き出しを行う場合の取引選択を行う。（ステップＳ１１）
続いて、利用者５が所持しているＩＣカード１をＡＴＭ２内にセットする。（ステップＳ１２）
ＡＴＭ２は、ＩＣカード１に記憶されているカード固有情報の読み出しを行う。（ステップＳ１３）
次に、ＡＴＭ２により、そのカード固有情報の認証処理が行われる。（ステップＳ１４）
【００３３】
そして、認証処理で認証が受けられた場合には、利用者は、ＡＴＭ２の入力手段から、暗証番号の入力を行う。（ステップＳ１５）
更に、ＡＴＭ２の入力手段から、現金の引き出しを希望する金額を示す引出申請金額情報の入力を行う。（ステップＳ１６）
そして、ＡＴＭ２が、ＩＣカード１に記憶されている引出金額特定情報を読み取る。（ステップＳ１７）
ＡＴＭ２において、引出申請金額情報と引出金額特定情報とを比較照合処理する。（ステップＳ１８）
【００３４】
続いて、ＡＴＭ２からサーバに暗証番号が送信されて、サーバ３で予め登録されている暗証番号情報と照合処理され、その照合結果情報がサーバ３からＡＴＭ２に送信される。（ステップＳ１９）
そして、ＡＴＭ２において、引出申請金額情報と引出金額特定情報とを比較照合処理の結果で一致し、更に、サーバ３から受信した照合結果情報で照合一致となっている場合に、ＡＴＭ２での出金処理が行えるように制御される。（ステップＳ２０）
【００３５】
次に、図７に基づいて、引出申請金額情報の照合処理をサーバ３において行う場合の処理手順を説明する。
利用者は、まずＡＴＭ２の表示手段に表示されている取引選択画面の中から、指でタッチするなどして現金の引き出しを行う場合の取引選択を行う。（ステップＳ２１）
続いて、利用者５が所持しているＩＣカード１をＡＴＭ２内にセットする。（ステップＳ２２）
ＡＴＭ２は、ＩＣカード１に記憶されているカード固有情報の読み出しを行う。（ステップＳ２３）
次に、ＡＴＭ２により、そのカード固有情報の認証処理が行われる。（ステップＳ２４）
【００３６】
そして、認証処理で認証が受けられた場合には、利用者は、ＡＴＭ２の入力手段から、暗証番号の入力を行う。（ステップＳ２５）
更に、ＡＴＭ２の入力手段から、現金の引き出しを希望する金額を示す引出申請金額情報の入力を行う。（ステップＳ２６）
続いて、ＡＴＭ２からサーバ３に暗証番号と引出申請金額情報とが送信されて、サーバ３で予め登録されている暗証番号情報と照合処理され、更に引出申請金額情報と引出金額特定情報とが比較照合処理されて、それらの照合結果情報がサーバ３からＡＴＭ２に送信される。（ステップＳ２７）
【００３７】
そして、ＡＴＭ２において、サーバ３から受信したそれらの照合結果情報が、いずれも照合一致であった場合には、ＡＴＭ２での出金処理が行えるように制御される。（ステップＳ２８）
以上の処理により、たとえ暗証番号が一致したとしても、利用者がＡＴＭ２から入力した引出申請金額情報が照合不一致となった場合には、ＩＣカード１が正当な本人以外の第三者によって不正に使用されているとして現金の引き出しが行えないようにしてある。
【００３８】
上記のように、本発明のカード処理システムでは、照合処理を行う機能を、どこに設けるかによって３種類の処理手順があり、そして、照合手段は、少なくともＩＣカード１か、ＡＴＭ２か、サーバ３かのいずれかに設ければよい。
また、カードとして、ＩＣカード１の代わりに磁気カードを用いる場合には、照合手段は、少なくともＡＴＭ２か、サーバ３かのいずれかに設ければよい。
このように、本発明のカード処理システムでは、このシステムの導入者である金融機関の判断により、どのようなカードを用いるのか、どのような方式のシステムを導入したいのかによって、適応可能なシステムを選択することができる。
【図面の簡単な説明】
【００３９】
【図１】本発明の実施形態に係るカード処理システムの概要を説明する図である。
【図２】本発明の実施形態に係るＩＣカードの平面図である。
【図３】本発明の実施形態に係るＩＣカードのシステムブロック図である。
【図４】本発明の実施形態に係るカード処理システムのシステムブロック図である。
【図５】本発明の実施形態に係るカード処理システムにおいて、ＩＣカード内で照合処理を行う場合の処理手順を説明するフローチャート図である。
【図６】本発明の実施形態に係るカード処理システムにおいて、ＡＴＭ内で照合処理を行う場合の処理手順を説明するフローチャート図である。
【図７】本発明の実施形態に係るカード処理システムにおいて、サーバ内で照合処理を行う場合の処理手順を説明するフローチャート図である。
【符号の説明】
【００４０】
１  ＩＣカード
２  ＡＴＭ
３  サーバ
４  ネットワーク
５  利用者
６  ＩＣモジュール
７  ＣＰＵ
８  揮発性メモリ（ＲＡＭ）
９  書き換え可能な不揮発性メモリ（ＥＥＰＲＯＭ）
１０  読み出し専用メモリ（ＲＯＭ）
１１  ＶＣＣ端子
１２  接地用のＧＮＤ端子
１３  ＲＳＴ端子
１４  ＣＬＫ端子
１５  Ｉ／Ｏ端子
１６  カード固有情報
１７  引出金額特定情報
１８，２７，３４  照合手段
１９  指示信号送信手段
２０  表示手段
２１  ジャーナル印字手段
２２  現金処理手段
２３  読取書込手段
２４，３１  記憶手段
２５  入力手段
２６，３２  通信手段
２８  出金処理制限手段
２９，３７  制御手段
３０  暗証番号照合手段
３３  金融取引処理手段
３４  照合手段
３５  指示信号送信手段
３６  預金者情報データベース
【図１】
2008033463.tif 000003
【図２】
2008033463.tif 000004
【図３】
2008033463.tif 000005
【図４】
2008033463.tif 000006
【図５】
2008033463.tif 000007
【図６】
2008033463.tif 000008
【図７】
2008033463.tif 000009